【手続補正書】
【提出日】平成19年4月4日(2007.4.4)
【手続補正１】
【補正対象書類名】明細書
【補正対象項目名】発明の名称
【補正方法】変更
【補正の内容】
【発明の名称】発光装置及びその製造方法、有機ＥＬ装置
【手続補正２】
【補正対象書類名】明細書
【補正対象項目名】特許請求の範囲
【補正方法】変更
【補正の内容】
【特許請求の範囲】
【請求項１】  発光層と、電極層と、を備える発光装置であって、
前記発光層から発する光の色度に対応して前記電極層の膜厚が異なること、を特徴とする発光装置。
【請求項２】  基板上に形成された第１電極と、
前記第１電極の上方に配置された発光層と、
前記発光層の上方に配置された第２電極と、
前記第２電極の上方に前記発光層を覆うように配置された材料層と、を備えてなる発光装置であって、
前記第１電極は、第１反射層と、前記発光層と前記第１反射層との間に設けられた第１透過層とを含む積層構造からなり、
前記発光層から発する光が少なくとも前記材料層を透過した光の色度に応じて前記第１透過層の膜厚が異なることを特徴とする発光装置。
【請求項３】  前記発光層から発する光が少なくとも前記材料層を透過した光の色度に応じて前記発光層の膜厚が異なることを特徴とする請求項２に記載の発光装置。
【請求項４】  基板上に形成された第１電極と、
前記第１電極の上方に配置された発光層と、
前記発光層の上方に配置された第２電極と、を備えてなる発光装置であって、
前記第２電極は、第２反射層と、前記発光層と前記第２反射層との間に設けられた第２透過層とを含む積層構造からなり、
前記発光層から発する光が少なくとも前記基板を透過した光の色度に応じて前記第２透過層の膜厚が異なることを特徴とする発光装置。
【請求項５】  前記発光層から発する光が少なくとも前記基板を透過した光の色度に応じて前記発光層の膜厚が異なることを特徴とする請求項４に記載の発光装置。
【請求項６】  基板上に形成された第１電極と、
前記第１電極の上方に配置された有機ＥＬ層と、
前記発光層の上方に配置された第２電極と、
前記第２電極の上方に前記有機ＥＬ層を覆うように配置された材料層と、を備えてなる有機ＥＬ装置であって、
前記第１電極は、第１反射層と、前記発光層と前記第１反射層との間に設けられた第１透過層とを含む積層構造からなり、
前記有機ＥＬ層から発する光が少なくとも前記材料層を透過した光の色度に応じて前記第１透過層の膜厚が異なることを特徴とする有機ＥＬ装置。
【請求項７】  前記有機ＥＬ層から発する光が少なくとも前記材料層を透過した光の色度に応じて前記有機ＥＬ層の膜厚が異なることを特徴とする請求項６に記載の有機ＥＬ装置。
【請求項８】  基板上に形成された第１電極と、
前記第１電極の上方に配置された有機ＥＬ層と、
前記発光層の上方に配置された第２電極と、を備えてなる有機ＥＬ装置であって、
前記第２電極は、第２反射層と、前記発光層と前記第２反射層との間に設けられた第２透過層とを含む積層構造からなり、
前記有機ＥＬ層から発する光が少なくとも前記基板を透過した光の色度に応じて前記第２透過層の膜厚が異なることを特徴とする有機ＥＬ装置。
【請求項９】  前記有機ＥＬ層から発する光が少なくとも前記基板を透過した光の色度に応じて前記有機ＥＬ層の膜厚が異なることを特徴とする請求項８に記載の有機ＥＬ装置。
【請求項１０】  前記発光層は、赤、緑、青の各３色に対応する３種類の発光層を含み、
前記電極層は、前記３種類の発光層の光が入射するそれぞれの領域ごとに、個々に前記電極層の膜厚が異なることを特徴とする請求項１に記載の発光装置。
【請求項１１】  前記第１電極は、積層される複数の層を含み、
前記発光層から発する光が少なくとも前記材料層を透過した光の色度に応じて前記複数の層のうちの少なくとも１つの層の膜厚が異なることを特徴とする請求項２または３に記載の発光装置。
【請求項１２】  前記複数の層は、前記発光層からの光を透過する透過層と該光を反射する反射層とを含み、
前記発光層から発する光が少なくとも前記材料層を透過した光の色度に応じて前記透過層の膜厚が異なることを特徴とする請求項１１に記載の発光装置。
【請求項１３】  前記第２電極は、積層される複数の層を含み、
前記発光層から発する光が少なくとも前記基板を透過した光の色度に応じて前記複数の層のうちの少なくとも１つの層の膜厚が異なることを特徴とする請求項４または５に記載の発光装置。
【請求項１４】  基板上に第１電極を形成する工程と、
前記第１電極の上方に発光層を配置する工程と、
前記発光層の上方に第２電極を配置する工程と、
前記第２電極の上方に前記発光層を覆うように材料層を配置する工程と、を含み、
前記第１電極を形成する工程は、前記基板上に反射層と、該反射層の上方に透過層を形成する工程を有し、
前記発光層から発する光が少なくとも前記材料層を透過した光の色度に応じて前記透過層の膜厚が異なることを特徴とする発光装置の製造方法。
【請求項１５】  前記発光層を配置する工程では、前記発光層から発する光が少なくとも前記材料層を透過した光の色度に応じて前記発光層の膜厚が異なることを特徴とする請求項１４に記載の発光装置の製造方法。
【請求項１６】  基板上に第１電極を形成する工程と、
前記第１電極の上方に発光層を配置する工程と、
前記発光層の上方に第２電極を配置する工程と、を含み、
前記第２電極を形成する工程は、前記発光層上に透過層と、該透過層の上方に反射層を形成する工程を有し、
前記発光層から発する光が少なくとも前記基板を透過した光の色度に応じて前記透過層の膜厚が異なることを特徴とする発光装置の製造方法。
【請求項１７】  前記発光層を配置する工程では、前記発光層から発する光が少なくとも前記基板を透過した光の色度に応じて前記発光層の膜厚が異なることを特徴とする請求項１６に記載の発光装置の製造方法。
【手続補正３】
【補正対象書類名】明細書
【補正対象項目名】０００６
【補正方法】変更
【補正の内容】
【０００６】
【課題を解決するための手段】
本発明者らは、鋭意検討の結果、発光層の発光光が電極層に入射した後に取り出される場合、その電極層の膜厚に応じて、取り出された時の光の色度が変化する傾向にあることを解明し、取り出された時の光の色度が所定値になるように、電極層の膜厚を定めることにより、上記課題を解決した。
すなわち、本発明の発光装置は、発光層と、電極層と、を備える発光装置であって、前記発光層から発する光の色度に対応して前記電極層の膜厚が異なること、を特徴としている。
上記の発光装置によれば、光の色度の最適化が図られる。
また本発明の発光装置は、基板上に形成された第１電極と、前記第１電極の上方に配置された発光層と、前記発光層の上方に配置された第２電極と、前記第２電極の上方に前記発光層を覆うように配置された材料層と、を備えてなる発光装置であって、前記第１電極は、第１反射層と、前記発光層と前記第１反射層との間に設けられた第１透過層とを含む積層構造からなり、前記発光層から発する光が少なくとも前記材料層を透過した光の色度に応じて前記第１透過層の膜厚が異なることを特徴とする。
さらに本発明の発光装置は、基板上に形成された第１電極と、前記第１電極の上方に配置された発光層と、前記発光層の上方に配置された第２電極と、を備えてなる発光装置であって、前記第２電極は、第２反射層と、前記発光層と前記第２反射層との間に設けられた第２透過層とを含む積層構造からなり、前記発光層から発する光が少なくとも前記基板を透過した光の色度に応じて前記第２透過層の膜厚が異なることを特徴とする。
また本発明の有機ＥＬ装置は、基板上に形成された第１電極と、前記第１電極の上方に配置された有機ＥＬ層と、前記発光層の上方に配置された第２電極と、前記第２電極の上方に前記有機ＥＬ層を覆うように配置された材料層と、を備えてなる有機ＥＬ装置であって、前記第１電極は、第１反射層と、前記発光層と前記第１反射層との間に設けられた第１透過層とを含む積層構造からなり、前記有機ＥＬ層から発する光が少なくとも前記材料層を透過した光の色度に応じて前記第１透過層の膜厚が異なることを特徴とする。
さらにまた本発明の有機ＥＬ装置は、基板上に形成された第１電極と、前記第１電極の上方に配置された有機ＥＬ層と、前記発光層の上方に配置された第２電極と、を備えてなる有機ＥＬ装置であって、前記第２電極は、第２反射層と、前記発光層と前記第２反射層との間に設けられた第２透過層とを含む積層構造からなり、前記有機ＥＬ層から発する光が少なくとも前記基板を透過した光の色度に応じて前記第２透過層の膜厚が異なることを特徴とする。
【手続補正４】
【補正対象書類名】明細書
【補正対象項目名】００１０
【補正方法】変更
【補正の内容】
【００１０】
本発明の発光装置の製造方法は、基板上に第１電極を形成する工程と、前記第１電極の上方に発光層を配置する工程と、前記発光層の上方に第２電極を配置する工程と、前記第２電極の上方に前記発光層を覆うように材料層を配置する工程と、を含み、前記第１電極を形成する工程は、前記基板上に反射層と、該反射層の上方に透過層を形成する工程を有し、前記発光層から発する光が少なくとも前記材料層を透過した光の色度に応じて前記透過層の膜厚が異なることを特徴とする。
あるいは、基板上に第１電極を形成する工程と、前記第１電極の上方に発光層を配置する工程と、前記発光層の上方に第２電極を配置する工程と、を含み、前記第２電極を形成する工程は、前記発光層上に透過層と、該透過層の上方に反射層を形成する工程を有し、前記発光層から発する光が少なくとも前記基板を透過した光の色度に応じて前記透過層の膜厚が異なることを特徴とする。
上記の製造方法によれば、取り出された時の光の色度が良好な発光装置を製造することができる。
【手続補正５】
【補正対象書類名】明細書
【補正対象項目名】００１２
【補正方法】変更
【補正の内容】
【００１２】
【発明の実施の形態】
以下、本発明について図面を参照して説明する。なお、参照する各図において、図面上で認識可能な大きさとするために、縮尺は実際のものと異なる場合がある。
図１は、本発明の発光装置の一実施形態に係る有機ＥＬ表示装置を概念的に示す図である。図１において、有機ＥＬ表示装置１０は、基体としての基板１１上に、回路素子部１２、画素電極（陽極；第１電極）１３、発光層１４を含む有機機能層１５、対向電極（陰極；第２電極）１６、及び封止部１７を順次積層した構造からなる。このうち陽極１３、機能層１５、及び陰極１６等を含んで電気光学素子としての有機ＥＬ装置（有機ＥＬ素子）が構成される。
なお、図１に示す符号２９は、画素の境界に設けられる仕切り部材としてのバンク層である。バンク層２９は、有機ＥＬ素子の形成時に、隣接する材料の混じりを防ぐ等の役割がある。
【手続補正６】
【補正対象書類名】明細書
【補正対象項目名】００１６
【補正方法】変更
【補正の内容】
【００１６】
ここで、表示装置１０では、基板１１側から光を取り出す構成であることから、基板１１としては、透明あるいは半透明なものが用いられる。
また、陽極（第１電極）１３の形成材料も同様に、ＩＴＯ等の透明性を有するものが用いられる。
また、陰極（第２電極）１６は、発光層１４からの光を透過する透過層（第２透過層）１８と、その光を反射する反射層（第２反射層）１９とを含む積層構造からなる。発光層１４に近い側に透過層１８が配置され、その外側に反射層１９が配置される。
発光層１４の発光光のうち、陰極１６に入射した光は、その陰極１６の透過層１８を通過した後に、反射層１９で反射される。その後、透過層１８、発光層１４等を通過し、基板１１側から取り出される。
【手続補正７】
【補正対象書類名】明細書
【補正対象項目名】００２７
【補正方法】変更
【補正の内容】
【００２７】
ここで、表示装置５０では、基板１１とは反対側から光を取り出す構成であることから、基板としては、透明でも不透明でもよい。不透明な基板としては、例えば、アルミナ等のセラミック、ステンレス等の金属シートに表面酸化などの絶縁処理を施したものの他に、熱硬化性樹脂、熱可塑性樹脂などが挙げられる。
陽極は、インジウム錫酸化物（ＩＴＯ）等の透明性を有するものが用いられる。
また、陽極（第１電極）１３は、発光層１４からの光を透過する透過層（第１透過層）５１と、その光を反射する反射層（第１反射層）５２とを含む積層構造からなる。発光層１４に近い側に透過層５１が配置され、その外側に反射層５２が配置される。
また、陰極（第２電極）１６の形成材料としては、透明性を有するものが用いられる。
発光層１４の発光光のうち、陽極１３に入射した光は、その陽極１３の透過層５１を通過した後に、反射層５２で反射される。その後、透過層５１、発光層１４等を通過し、基板１１側から取り出される。